(57)【要約】【課題】細長く突出した指部分が破損し難く、且つ装飾台に強固に固定することが可能となる把持物を握った状態の立体造形手形を提供する。【解決手段】（ａ）ペースト状の弾性印象材の中に把持物Ｍを握った手を入れ、弾性印象材のゲル化後把持物を弾性印象材内に残して手だけを抜いて得られた陰型手形に石膏を流し込み、石膏が硬化後弾性印象材を除去して得た把持物Ｍを握っている石膏手形１の甲部１ｂを平坦面３に形成した台取付部２と、（ｂ）台取付部２の平坦面３に対して垂直になるように形成され、ボルト９を差し込み可能としたボルト穴７と、（ｃ）ボルト穴７の内部に、ボルト９が螺着可能に埋設されたナット部８と、（ｄ）ナット部８に各基端部４ａが固着され、各先端部４ｂが前記石膏手形１の５指の内部に埋設された線状の補強材４とから成り、把持物Ｍを握った補強材４入りの石膏手形１をボルト９で強固に装飾台に固定可能としたことを特徴とする。【選択図】  図１
2015066895.tif 000002
【特許請求の範囲】
【請求項１】
（ａ）ペースト状の弾性印象材の中に把持物を指で握ったままの手を入れ、該弾性印象材のゲル化後前記把持物を該弾性印象材内に残して手だけを抜いて得られた陰型手形に石膏を流し込んで、該石膏の硬化後前記弾性印象材を除去して得た前記把持物を握っている石膏手形の手首部又は手首部から甲部にかけて設定した傾斜角度の平坦面を形成した台取付部と、
（ｂ）該台取付部から内部に向けて前記平坦面に対してボルト中心線が垂直となり且つ該ボルトを差し込み可能としたボルト穴と、
（ｃ）該ボルト穴の内部に前記ボルトを螺着可能に埋設したナット部と、
（ｄ）該ナット部に基端部を固着して埋設するか又は基端部に設けたアンカー部を前記ナット部近傍に埋設し且つ先端部が指先近傍まで届くように前記石膏手形の５本の指のうち少なくとも１本の指の内部に埋設した補強材とから成り、
前記把持物を握った前記補強材入りの石膏手形を前記ナット部にボルトを螺着して該石膏手形を飾る装飾台に固定可能としたことを特徴とする把持物握り型立体造形手形。
【請求項２】
（ａ）ペースト状の弾性印象材の中に把持物を指で握ったままの手を入れ、該弾性印象材のゲル化後前記把持物を該弾性印象材内に残して手だけを抜いて得られた陰型手形に石膏を流し込んで、該石膏の硬化後前記弾性印象材を除去して得た前記把持物を握っている石膏手形の手首部又は手首部から甲部にかけて設定した傾斜角度の平坦面を形成した台取付部と、
（ｂ）ボルト頭及びボルトの一部を前記石膏手形の内部に配すると共にネジ部を前記台取付部から突出させ前記台取付部の平坦面に対してボルト中心線が垂直となるように埋設したボルトと、
（ｃ）前記ボルト頭に基端部を固着して埋設するか又は基端部に設けたアンカー部を前記ボルト頭近傍に埋設し且つ先端部が指先近傍まで届くように前記石膏手形の５本の指のうち少なくとも１本の指の内部に埋設した補強材とから成り、
前記把持物を握った前記補強材入りの石膏手形を前記ボルトにナットを螺着して該石膏手形を飾る装飾台に固定可能としたことを特徴とする把持物握り型立体造形手形。
【請求項３】
ボルト貫通孔を中央部に備えた平面板を、台取付部に直立させたボルトに貫挿させると共に表面が前記台取付部の平坦面と面一となるように前記台取付部に埋設させたことを特徴とする請求項１又は２に記載の把持物握り型立体造形手形。
【請求項４】
石膏手形を固定するボルトが貫通可能なボルト孔を備えた装飾台の裏面側のボルト孔開口部に、ナット又はボルト頭が埋没可能となるボルト隠し穴を形成し、前記装飾台の裏面から前記ナット又はボルト頭を突出させずに石膏手形を装飾台に固定可能としたことを特徴とする請求項１から３のうちいずれかに記載の把持物握り型立体造形手形。
【請求項５】
請求項１から４うちのいずれかに記載の把持物握り型立体造形手形の製造方法あって、
（Ａ）アルギン酸塩のペーストに石膏を混合し、ゲル化時間を設定時間に調節したペースト状の弾性印象材を得るゲル化時間設定工程と、
（Ｂ）手にワセリンを塗り、該弾性印象材内に把持物を指の内側に握った手を差し込み、設定時間後に把持物を該弾性印象材内に残して手だけを抜いて陰型手形を得る陰型手形型取り工程と、
（Ｃ）平面当て板に設けたボルト差込孔に、ナット部を該平面当て板の下側に配してナット部を螺着したボルトを差し込むか又はボルト頭を前記平面当て板の下側に配してボルトを差し込み、
基端部にアンカー部を備えた補強材を用い、
前記陰型手形型取り工程で得られた陰型手形内に、前記アンカー部を掌内に配して前記補強材の先端部を指先近傍まで挿し込みつつ前記平面当て板に装着した前記ナット部又は前記ボルト頭を入れてペースト状の石膏を流し込み、同時的に振動させて石膏を指先部分まで行き渡らせ、石膏が前記陰型手形に満杯になったら前記平面当て板を所望傾斜に押し当てて手首部又は手首部から甲部にかけて平坦面となるように台取付部を形成し、該石膏の硬化後、前記弾性印象材を除去して把持物を握った状態の石膏手形を得る石膏手形型取り工程と、
（Ｄ）得られた石膏手形の表面の前記弾性印象材内に入れた手の形と異なる凹凸部分を修正し、前記把持物を握った石膏手形を得る手形仕上げ工程と、
から成ることを特徴とする把持物握り型立体造形手形の製造方法。
【請求項６】
請求項１から４うちのいずれかに記載の把持物握り型立体造形手形の製造方法あって、
（Ａ）アルギン酸塩のペーストに石膏を混合し、ゲル化時間を設定時間に調節したペースト状の弾性印象材を得るゲル化時間設定工程と、
（Ｂ）手にワセリンを塗り、該弾性印象材内に把持物を指の内側に握った手を差し込み、設定時間後に把持物を該弾性印象材内に残して手だけを抜いて陰型手形を得る陰型手形型取り工程と、
（Ｃ）補強材を固定したナット部を平面当て板の下側に配して該平面当て板に設けたボルト差込孔にボルトを差し込んで前記ナット部を螺着するか又は前記補強材を固定したボルト頭を平面当て板の下側に配して該平面当て板に設けたボルト差込孔にボルトを差し込み、
前記陰型手形型取り工程で得られた陰型手形内に、指先近傍まで前記補強材の先端部を挿し込みつつ前記平面当て板に装着した前記ナット部又は前記ボルト頭を入れてペースト状の石膏を流し込み、同時的に振動させて石膏を指先部分まで行き渡らせ、石膏が前記陰型手形に満杯になったら前記平面当て板を所望傾斜に押し当てて手首部又は手首部から甲部にかけて平坦面となるように台取付部を形成し、該石膏の硬化後、前記弾性印象材を除去して把持物を握った状態の石膏手形を得る石膏手形型取り工程と、
（Ｄ）得られた石膏手形の表面の前記弾性印象材内に入れた手の形と異なる凹凸部分を修正し、前記把持物を握った石膏手形を得る手形仕上げ工程と、
から成ることを特徴とする把持物握り型立体造形手形の製造方法。
【請求項７】
手形仕上げ工程後に、該手形仕上げ工程で得られた石膏手形の台取付部を、ボルト孔を設けた該石膏手形を飾る装飾台にボルト又はナット部で固定する装飾台固定工程を有したことを特徴とする請求項５又は６に記載の把持物握り型立体造形手形の製造方法。
【発明の詳細な説明】
【技術分野】
【０００１】
本発明は額縁に入れたり載置台に載せたりして飾るものであって、ボール等の把持対象物を手に握った状態で製作された石膏製の把持物握り型の立体造形手形と、その立体造形手形を製造するための方法に関する。
【背景技術】
【０００２】
従来、個人の業績や趣味等を記念してその人の手や足の形を立体的な装飾物として複製することが行われ、例えば下記特許文献１及び特許文献２には子供の誕生を記念して乳児の手足の複製物を製作し、これを額縁に入れて飾る技術が提案されている。
【先行技術文献】
【特許文献】
【０００３】
【特許文献１】実開昭６０−９４９９９号公報
【特許文献２】実用新案登録第３１１０７２６号公報
【発明の概要】
【発明が解決しようとする課題】
【０００４】
前記特許文献１では、印象材を用いて手や足型を採取してその型に石膏を流し込んで模型体を製作するものであり、その模型体は額縁に入れて装飾される。
このような手の立体的な複製模型では、素材の石膏の強度がセメントや合成樹脂等に比較して小さいため細く長い指部分が折れ易いという欠点があるが、このような記念的・縁起的な装飾品においては少しでも表面に傷や破損が存在すると商品価値を失ってしまうという問題がある。
又、上記特許文献１及び２の考案のように立体的な複製模型を額縁に入れて装飾する場合、重量が前掛かりとなるため直立面に安定的に固定するのが難しく、例えば上記特許文献１では模型体の周囲に嵌め込み溝を設ける工夫をしているが、そのような溝程度の支持形態では模型体を板面に強固に固定することできず、搬送時等に受ける振動や衝撃で板面から模型体の定位置から外れたり傾いたりしてしまうおそれがある。
【０００５】
一方、手形をとる人の過去の趣味や業積と関連した物、例えば野球選手ではボール、文筆家では鉛筆やペン、歌手ではマイクロホンなどの象徴的な記念物となるが、そのような記念物を手に把持した状態で製造することは、そのような把持物の材質が手形の材質である石膏等とは異質の素材なので大変に困難であって今まで殆ど行われていない。
【０００６】
本発明は、上記事情に鑑みてなされたものであり、手を印象材で型取りして石膏をその型に流し込んで得た複製の立体造形手形の長細く突出した指部分が容易に折れることなく、且つ該造形手形を額縁に入れたり、載置台に載せたりする際に手の取り付け角度を見映えを考慮した傾斜角度で位置決めして安定的且つ強固に固定することが可能となり、更に石膏とは異質の素材である記念物等の把持物を手に握っている状態の立体造形手形及びその立体造形手形の製造方法を提供することを目的とする。
【課題を解決するための手段】
【０００７】
上記課題を解決するため、本発明の把持物握り型立体造形手形における請求項１に記載の発明は、（ａ）ペースト状の弾性印象材の中に把持物を指で握ったままの手を入れ、該弾性印象材のゲル化後前記把持物を該弾性印象材内に残して手だけを抜いて得られた陰型手形に石膏を流し込んで、該石膏の硬化後前記弾性印象材を除去して得た前記把持物を握っている石膏手形の手首部又は手首部から甲部にかけて設定した傾斜角度の平坦面を形成した台取付部と、（ｂ）該台取付部から内部に向けて前記平坦面に対してボルト中心線が垂直となり且つ該ボルトを差し込み可能としたボルト穴と、（ｃ）該ボルト穴の内部に前記ボルトを螺着可能に埋設したナット部と、（ｄ）該ナット部に基端部を固着して埋設するか又は基端部に設けたアンカー部を前記ナット部近傍に埋設し且つ先端部が指先近傍まで届くように前記石膏手形の５本の指のうち少なくとも１本の指の内部に埋設した補強材とから成り、前記把持物を握った前記補強材入りの石膏手形を前記ナット部にボルトを螺着して該石膏手形を飾る装飾台に固定可能としたことを特徴とする。
【０００８】
請求項２に記載の発明は、（ａ）ペースト状の弾性印象材の中に把持物を指で握ったままの手を入れ、該弾性印象材のゲル化後前記把持物を該弾性印象材内に残して手だけを抜いて得られた陰型手形に石膏を流し込んで、該石膏の硬化後前記弾性印象材を除去して得た前記把持物を握っている石膏手形の手首部又は手首部から甲部にかけて設定した傾斜角度の平坦面を形成した台取付部と、（ｂ）ボルト頭及びボルトの一部を前記石膏手形の内部に配すると共にネジ部を前記台取付部から突出させ前記台取付部の平坦面に対してボルト中心線が垂直となるように埋設したボルトと、（ｃ）前記ボルト頭に基端部を固着して埋設するか又は基端部に設けたアンカー部を前記ボルト頭近傍に埋設し且つ先端部が指先近傍まで届くように前記石膏手形の５本の指のうち少なくとも１本の指の内部に埋設した補強材とから成り、前記把持物を握った前記補強材入りの石膏手形を前記ボルトにナットを螺着して該石膏手形を飾る装飾台に固定可能としたことを特徴とする。
【０００９】
請求項３に記載の発明は、上記各発明において、前記ボルト貫通孔を中央部に備えた平面板を、前記台取付部に直立させたボルトに貫挿させると共に表面が前記台取付部の平坦面と面一となるように前記台取付部に埋設させたことを特徴とする。
【００１０】
請求項４に記載の発明は、上記各発明において、前記石膏手形を固定するボルトが貫通可能なボルト孔を備えた装飾台の裏面側のボルト孔開口部に、前記ナット又はボルト頭が埋没可能となるボルト隠し穴を形成し、前記装飾台の裏面から前記ナット又はボルト頭を突出させずに石膏手形を装飾台に固定可能としたことを特徴とする。
【００１１】
請求項５に記載の発明は、上記請求項１から４うちのいずれかに記載の把持物握り型立体造形手形の製造方法あって、（Ａ）アルギン酸塩のペーストに石膏を混合し、ゲル化時間を設定時間に調節したペースト状の弾性印象材を得るゲル化時間設定工程と、（Ｂ）手にワセリンを塗り、該弾性印象材内に把持物を指の内側に握った手を差し込み、設定時間後に把持物を該弾性印象材内に残して手だけを抜いて陰型手形を得る陰型手形型取り工程と、（Ｃ）平面当て板に設けたボルト差込孔に、ナット部を該平面当て板の下側に配してナット部を螺着したボルトを差し込むか又はボルト頭を前記平面当て板の下側に配してボルトを差し込み、基端部にアンカー部を備えた補強材を用い、前記陰型手形型取り工程で得られた陰型手形内に、前記アンカー部を掌内に配して前記補強材の先端部を指先近傍まで挿し込みつつ前記平面当て板に装着した前記ナット部又は前記ボルト頭を入れてペースト状の石膏を流し込み、同時的に振動させて石膏を指先部分まで行き渡らせ、石膏が前記陰型手形に満杯になったら前記平面当て板を所望傾斜に押し当てて手首部又は手首部から甲部にかけて平坦面となるように台取付部を形成し、該石膏の硬化後、前記弾性印象材を除去して把持物を握った状態の石膏手形を得る石膏手形型取り工程と、（Ｄ）得られた石膏手形の表面の前記弾性印象材内に入れた手の形と異なる凹凸部分を修正し、前記把持物を握った石膏手形を得る手形仕上げ工程と、から成ることを特徴とする。
【００１２】
請求項６に記載の発明は、上記請求項１から４うちのいずれかに記載の把持物握り型立体造形手形の製造方法あって、（Ａ）アルギン酸塩のペーストに石膏を混合し、ゲル化時間を設定時間に調節したペースト状の弾性印象材を得るゲル化時間設定工程と、（Ｂ）手にワセリンを塗り、該弾性印象材内に把持物を指の内側に握った手を差し込み、設定時間後に把持物を該弾性印象材内に残して手だけを抜いて陰型手形を得る陰型手形型取り工程と、（Ｃ）補強材を固定したナット部を平面当て板の下側に配して該平面当て板に設けたボルト差込孔にボルトを差し込んで前記ナット部を螺着するか又は前記補強材を固定したボルト頭を平面当て板の下側に配して該平面当て板に設けたボルト差込孔にボルトを差し込み、前記陰型手形型取り工程で得られた陰型手形内に、指先近傍まで前記補強材の先端部を挿し込みつつ前記平面当て板に装着した前記ナット部又は前記ボルト頭を入れてペースト状の石膏を流し込み、同時的に振動させて石膏を指先部分まで行き渡らせ、石膏が前記陰型手形に満杯になったら前記平面当て板を所望傾斜に押し当てて手首部又は手首部から甲部にかけて平坦面となるように台取付部を形成し、該石膏の硬化後、前記弾性印象材を除去して把持物を握った状態の石膏手形を得る石膏手形型取り工程と、（Ｄ）得られた石膏手形の表面の前記弾性印象材内に入れた手の形と異なる凹凸部分を修正し、前記把持物を握った石膏手形を得る手形仕上げ工程と、から成ることを特徴とする。
【００１３】
請求項７に記載の発明は、上記手形仕上げ工程後に、該手形仕上げ工程で得られた石膏手形の台取付部を、ボルト孔を設けた該石膏手形を飾る装飾台に前記ボルト又はナット部で固定する装飾台固定工程を有したことを特徴とする。
【発明の効果】
【００１４】
本発明の請求項１と請求項２に記載の発明とはいずれも以下の効果を奏する。
把持物が握られた状態の石膏手形の突き出た指が、その石膏の指の中に埋設した補強材によって補強されるので折れ難くなり、石膏手形の加工中や移動中での損傷が防止され、製品の寿命を長く保持することが可能となる。
又、前記補強材の基端部にはアンカー部分が設けられるか又は前記ナット部に固着されるので該補強材の引抜き抵抗が高まり、石膏でできた脆い指の切断や破損が防止可能となる。
又、手首部から甲部に形成された台取付部の平坦面が所望の傾斜角度に形成できるので、石膏手形を額縁内に見映え良い角度で安定的に固定することが可能となる。
【００１５】
更に、ボルトによって把持物が握られた石膏手形を額縁の台板や載置台に強固に固定することが可能となり、物の重量が加算されて不安定となる立体的な造形手形を、該手形を支えて飾る装飾台等に強固に固定することが可能となる。
又、載置台等の装飾台に取り付けるのに使用するボルトの長さは自由に選択可能であるため、装飾台のボルト孔の長さが異なったものであってもボルトを替えることで全てに対応して取り付けることが可能となる。
又この形態では、ボルトをナット部から外せば石膏手形の台取付部に突出するものがなくなるので、把持物が握られた石膏手形を保管する際に嵩張らず、又複数個を纏めて保管したり運搬する場合、把持物や石膏手形同士が当たっても金属ボルトで石膏表面が損傷されるのを防止できる。
【００１６】
請求項２に記載の発明では、台取付部の平坦面からボルトのネジ部が突出した状態で埋設されるので、台取付部と装飾台とは装飾台のボルト孔にボルトを通しナット締めして固定される。
又、装飾台のボルト孔自体に雌ネジが形成されていれば、ナットは使用せず直接固定することが可能となる。
【００１７】
請求項３に記載の発明は、埋設した平面板が把持物が握られた石膏手形の手首部から甲部に設けられた台取付部の平坦面のボルト固定部分周辺の石膏を補強し、ボルト締めした際にボルトを引抜く力が強でも台取付部の中央部分の破壊が防止される。
また、装飾台の平面に対して平面板の全面が密接して装飾台に固定され、その優れた密着性によってがたつくことなく安定的に装飾台に固定可能となる。
【００１８】
請求項４に記載の発明は、把持物が握られた石膏手形を装飾台に装着する際に、装飾台のボルト孔の背面側開口部に設けたボルト隠し穴に、ナット部又はボルト頭が突出することなく隠されるので、装飾台を安定的に置いたり、又額縁の背面板に接着剤や釘等で安定的に固定することが可能となる。
【００１９】
請求項５に記載の発明は、ゲル化時間設定工程においては、アルギン酸塩のペーストに加える石膏の配合量で弾性印象材のゲル化時間を任意の時間に設定できる。
例えば、陰型手形の型取りを行う際に手を印象材に入れて置くのを嫌がる乳児に対して、石膏の配合量を増やして弾性印象材のゲル化時間を１分以内の短時間の設定することで、入れた手を抵抗なく短時間で引き抜くことが可能となる。
又、陰型手形型取り工程において弾性印象材に人の手に把持物を握った状態で差し込み、その把持物は弾性印象材内に残して手だけを抜いて陰型手形を得ることによって、その後の石膏手形型取り工程では、硬い石膏素材の手形に物が握られた状態の石膏手形を得ることが可能となる。
【００２０】
例えば、石膏は柔軟性がないので石膏の手形が得られた後にボール等の把持物を押し込んで握らせることはできないが、本発明では、現物としての把持物を指で包むように握らせた石膏手形を得ることが可能と成る。
又、石膏手形型取り工程では、平面当て板を所望傾斜に押し当てることで手首部から甲部に形成する台取付部の平坦面の傾斜角度を自由に設定することが可能となる。
そして石膏手形の台取付部を装飾台に対して掌の向きを好みの角度に傾斜させて見映え良く固定することが可能となる。その際、前記台取付部と装飾台とをボルトで安定的且つ強固に固定することが可能となる。
又、補強材の先端部が指先まで指中に補強材が埋設され、その基端部に設けたアンカー部によって補強材の引抜き抵抗が高まり、石膏でできた脆い指が補強されて折れ難くなる。
【００２１】
請求項６に記載の発明は、上記請求項５と同様の効果が得られるが、先端部が指先まで指中に補強材が埋設され、その基端部がボルト頭又はナット部に固着されるので補強材は引き抜けなくなる。このため石膏でできた脆い指が補強されて折れ難くなる。
【００２２】
請求項７に記載の発明は、重量のある把持物が握られた石膏手形を装飾台のボルト孔にボルトを差し込んで安定的且つ強固に固定することが可能となる。
【図面の簡単な説明】
【００２３】
【図１】本発明の把持物を握った石膏手形に（イ）がナット部を埋設した形態を示し、（ロ）がボルト頭を埋設した形態を示す各斜視図である。
【図２】ナット部を埋設した形態の把持物を握った石膏手形に（イ）が装飾台の固定する前の状態を示し、（ロ）が固定後の状態を示す各縦断側面図である。
【図３】別の形態の把持物を握った石膏手形に（イ）がナット部を埋設した形態を示し、（ロ）がボルト頭を埋設した形態を示す各縦断側面図である。
【図４】（イ）が石膏手形にナット部を埋設した形態を示し、（ロ）が石膏手形にボルト頭を埋設した形態を示す装飾台に固定した状態の各斜視図である。
【図５】（イ）が弾性印象材を容器に入れた状態を示し、（ロ）が弾性印象材に把持物を握った手を入れた状態を示す各縦断側面図である。
【図６】（ハ）が弾性印象材から手だけを抜いた状態を示し、（ニ）把持物を握った陰型手形に補強材付きのボルトを入れて石膏を流し込む状態を示す各縦断側面図である。
【図７】（ホ）が陰型手形に流し込んだ石膏の上から平面当て板を当てて抑えた状態を示す縦断側面図で、（ヘ）が弾性印象材を石膏手形から除去した形態を示す側面図である。
【図８】装飾台に把持物を握った石膏手形を固定した状態を示す側面図である。
【図９】把持物を握った石膏手形を額縁に入れた状態を示す縦断側面図である。
【図１０】本発明の製造工程を示す工程図である。
【図１１】別の態様の製造工程を示す工程図である。
【発明を実施するための形態】
【００２４】
本発明の実施の形態を図に基づいて以下説明する。
本発明の把持物握り型立体造形手形は、ボール等の把持物を握った人の手をペースト状の印象材に差し込み、該印象材のゲル化後その手のみを引き抜いて得た手の陰型に石膏を流し込んで硬化させ、印象材を除去して得られる立体的な造形の石膏手形に関するものであり、又本発明では該石膏手形を装飾台に固定したり、額縁に入れるなどして装飾用とするものである。
本発明には石膏手形の内部にナット部を埋設する第１の形態と、ボルト頭を埋設する第２の形態とがある。
前記握る把持物とは、野球関係ではボール、歌手ではマイク、大工では鑿、文筆家では筆等、手形を作る本人の記念となる物を指し、これらに把持物を自由に選択して用いることができる。
以下の実施の形態では把持物がボールＭである場合で説明する。
【００２５】
次に上記第１の形態から説明する。
この形態では、図１の（イ）に示すように、以下の（ａ）〜（ｄ）の各部で構成される。
（ａ）ペースト状の弾性印象材の中に把持物Ｍを指で握ったままの手を入れ、該弾性印象材のゲル化後前記把持物を該弾性印象材内に残して手だけを抜いて得られた陰型手形に石膏を流し込んで、該石膏の硬化後前記弾性印象材を除去して得た前記把持物Ｍを握っている石膏手形１の手首１ｃ又は手首1ｃから甲部1ｂにかけて設定した傾斜角度の平坦面３を形成した台取付部２。
（ｂ）該台取付部２から内部に向けて前記平坦面３に対してボルト中心線が垂直となり且つ該ボルトを差し込み可能としたボルト穴７。
（ｃ）該ボルト穴７の内部に前記ボルト９を螺着可能に埋設したナット部８。
（ｄ）前記ナット部８に基端部４ａを固着して埋設するか又は基端部４ａに設けたアンカー部５を前記ナット部８近傍に埋設し且つ先端部４ｂが指先近傍まで届くように前記石膏手形の５本の指のうち少なくとも１本の指の内部に埋設した線状、棒状又は板状の補強材４。
【００２６】
そして、前記把持物Ｍを握った前記補強材４入りの石膏手形１を前記ナット部８にボルト９を螺着して該石膏手形１を飾る装飾台１３に固定可能とする。
【００２７】
第２の形態は、図１の（ロ）に示すように、以下の（ａ）〜（ｃ）の各部で構成される。
（ａ）ペースト状の弾性印象材の中に把持物Ｍを指で握ったままの手を入れ、該弾性印象材のゲル化後前記把持物を該弾性印象材内に残して手だけを抜いて得られた陰型手形に石膏を流し込んで、該石膏の硬化後前記弾性印象材を除去して得た前記把持物Ｍを握っている石膏手形１の手首１ｃ又は手首1ｃから甲部1ｂにかけて設定した傾斜角度の平坦面３を形成した台取付部２。
（ｂ）ボルト頭１０ａ及びボルト１０の一部を前記石膏手形１の内部に配すると共にネジ部１０ｂを前記台取付部２から突出させ前記台取付部２の平坦面３に対してボルト中心線が垂直となるように埋設したボルト１０。
（ｃ）前記ボルト頭１０ａに基端部４ａを固着して埋設するか又は基端部４ａに設けたアンカー部５を前記ボルト頭１０ａ近傍に埋設し且つ先端部４ｂが指先１ａ近傍まで届くように前記石膏手形１の５本の指のうち少なくとも１本の指の内部に埋設した線状、棒状又は板状の補強材４。
【００２８】
そして、前記把持物Ｍを握った前記補強材４入りの石膏手形１を前記ボルト１０にナット１１を螺着して該石膏手形１を飾る装飾台１３に固定可能とする。
とする。
【００２９】
上記第１の形態と第２の形態の違いは、図３の（イ）と（ロ）に示すように、使用するボルト・ナットのうちどちらを石膏手形１の内部に埋設させるかの違いである。
この違いによって、第１の形態では、ボルト９の長さを自由に選択できるので、石膏手形１を額縁に入れて固定する際に、図２の（イ）及び（ロ）に示すように、固定対象となる装飾台１３の厚さに応じて最適長さのボルト９で装飾台１３の背面にボルト頭９ａを突出させずに固定することが可能となる。
【００３０】
これに対して第２の形態では埋設されたボルト１０で長さが決まり、製造後にはボルト１０の長さを交換することができない。
従って、固定対象となる装飾台の厚さが決められている場合に、その決められた厚さに対して、ナット部１１を締めでき且つ固定対象となる装飾台１３の背面にナット部１１やボルトのネジ部１０ｂが突出しない長さとなるボルト１０を使用する。
又、ナット部１を埋め込んだ装飾台１３を使用すれば、その装飾台１３に対して直接本発明の把持物握り型立体造形手形を螺着して取り付けることが可能となる。
【００３１】
使用するボルト・ナットのサイズや補強材４の太さは限定するものではないが、手の甲の厚さに応じて、埋設したボルト・ナットは掌の表面に露出しない大きさのものを使用し、ナットは石膏に食い込む爪付きナットを使用することもできる。
材質は、ステンレスやアルミニュウム、銅、強化プラスチック製などの錆び難く強度の優れた材料を使用する。
線状の補強材は、外部衝撃で容易に切断されてしまうほど細いものは使用しない。その材質は、ステンレスやアルミニュウム、銅などの錆び難い金属を使用する。例えば、径が１．５ｍｍ程度の銅線が手の力で指の形に応じて自由に曲げることができるので使用に適している。
【００３２】
又、上記第１の形態及び第２の形態のいずれでも、前記台取付部２には、図２の（イ）及び（ロ）に示すように、前記台取付部２のボルト９、１０が貫挿可能となる位置に、円形等の平面板１２を埋設させることができる。
該平面板１２はステンレスやアルミニュウムなどの錆び難い金属製で、外径を大きく広い表面を有し、その表面が前記台取付部２の平坦面３と面一となるように石膏内に埋設する。
該平面板１２は、前記台取付部２に突出させたボルト廻りの石膏を補強し、ボルトの強い締め付けで、ボルト周囲の石膏が破損されるのを防止することが可能となる。
【００３３】
又、前記石膏手形１の５指の内部に埋設された補強材４の各基端部４ａの、前記石膏手形１の甲部１ｂから埋設されたナット部８又はボルト頭１０ａへの固定は、直接溶接によって固着する方法、接着剤によって固着する方法、及び巻き付けによって固定する方法等が可能である。
この他にも例えば図４の（イ）及び（ロ）に示すように、少なくとも５箇所の補強材挿込穴２１ａを設けた補強材固定体２１を埋設される側のナット部８又はボルト頭１０ａに一体的になるように固着し、該補強材挿込穴２１ａに基端部４ａを差し込んで各補強材４を固着する形態も可能である。
前記補強材固定体１１の材質は金属の他に木材や合成樹脂等の使用が可能である。
この形態では、該補強材挿込穴１１ａに差し込んだ基端部４ａ、７ａに接着剤等で固着することでナット部８又はボルト頭１０ａに補強材４を強固に固着することができる。
【００３４】
そして、前記石膏手形１を、上記第１の形態では、図２の（イ）及び（ロ）に示すように、前記ボルト孔１４を備えた額入れ用装飾台１３にボルト９で固定する。
又、第２の形態では、図８に示すように、前記額入れ用の装飾台１３の前記ボルト孔１４にボルト９のネジ部９ｂを差し込んでナット部８で固定することとなる。
【００３５】
前記装飾台１３には、その背面のボルト孔１４の開口部に、ナット１１又はボルト頭９ａが没入可能なボルト隠し穴１５を形成することができる。
この形態では、前記ナット１１又はボルト頭１０ａは、前記ボルト隠し穴１５の中で締めて前記装飾台１３を石膏手形１に固定した際に、前記装飾台１３に背面から前記ナット１１又はボルト頭１０ａを突出させず固定することができる。
又、その際に、前記石膏手形１と前記装飾台１３の表面とは、手の甲部１ｂに形成した台取付部２の平坦面３の表面とが密接して安定的な固定が可能となる。
そして、図９に示すように、前記石膏手形１と前記装飾台１３とはボルト９，１０で強固に固定され、且つ前記装飾台１３は額縁の背面板１７に接着材、ネジ及び等を用いて、額内に安定状態に固定することが可能となる。
なお、この額の中の背面板１７の内部には、前記石膏手形１と並べて、氏名、生年月日、信条、詩、履歴。実績などの個人情報や顔写真等も張るここができる。
【００３６】
前記石膏手形１の表面は、石膏の地のままでも装飾的に白く綺麗な製品となるが、さらに、使用した石膏と同じ石膏で気泡の凹みを埋め、石膏が硬化後、表面全面をグラインダーで研磨すれば美しい模造した立体造形手形が完成する。
又、前記石膏手形１の表面は、更に金、銀で豪華に見せる着色を施しり、肌色でリアルに人の手を再現するように着色した立体造形手形としても良い。
【００３７】
上記第１の形態と上記第２の形態のいずれの形態においても、板状の装飾台１３を立てて額縁の背面板１７に固定する態様を述べたが、前記装飾台１３は、図３に示すように、前記石膏手形１を、載置台状の装飾台１３の上に立てて直接固定する態様が可能である。
該載置台状の装飾台１３に固定する態様では、該装飾台１３には、その底面のボルト孔１４の開口部に、ナット１１又はボルト頭９ａが没入可能なボルト隠し穴１５を形成し、前記ナット１１又はボルト頭１０ａを前記ボルト隠し穴１５の納めて装飾台１３を水平に載置できるようにする。
その際、前記石膏手形１と前記装飾台１３の上面とは、手首１ｃに形成した台取付部２の平坦面３と密接して安定的した強固な固定が可能となる。
【００３８】
又前記補強材４は、上記各形態では線状の補強材４を使用した場合の例を示したが、線状の他に棒状又は板状の補強材４を使用することもできる。
そしてその材質は、ステンレスやアルミニュウム、銅などの錆び難い金属や合成樹脂などが使用可能である。
【００３９】
又前記補強材４を５本用いて、ナット部８又はボルト頭１０ａに補強材４を固着した態様を示したが、図３に示すように、前記石膏手形の５本の指のうち少なくとも１本の指の部分に補強材４を用いて、該補強材をボルト頭１０ａに接続させずに使用する形態が可能である。
その場合、基端部４ａにはアンカー部５を設けて、前記ナット部近傍に埋設し且つ先端４ｂ部が指先１ａ近傍まで届くように前記石膏手形の５本の指のうち少なくとも１本の指の内部に埋設する。
前記アンカー部５は足掛りにより前記石膏手形１の中から引抜けないようにするものであり、図３に示すように、補強材４の端部４ｂをフック状に丸めて丸曲げ部６を形成できる。又基端部４ａ付近に結び目や、材料を丸めて玉状とした変形部分を設けても良い。
【００４０】
なお、補強材４の先端部４ｂは、指先１ａや途中から外部に露出したり突出したりしないように、図３に示すように、線状や板状のものでは輪状に形成するなど丸めると良い。又棒状のものでは先端部４ｂを球状に形成することもできる。
このように補強材４の先端部４ｂにおける輪状や球状の形成は、製造工程において補強材４の先端部４ｂを指先１ａまで円滑に挿入させることが可能となり、又アンカー効果も発生し、石膏でできた指先１ａが折れる事故も防止可能となる。
【００４１】
次に、上記把持物握り型立体造形手形の製造方法を詳述する。
該製造方法は、図１０の製造工程（１）及び図１１の製造工程２に示すようにその工程順に作業が行われ、手形仕上げ工程で把持物握り型立体造形手形が得られ、最後の装飾台固定工程でその手形仕上げ工程で得られた石膏手形が装飾台にボルト又はナット部で固定され完成する。
なお、図５〜図９の各図はいずれも、上記把持物握り型立体造形手形は、ボルト１０のボルト頭１０ａを石膏手形１の中に埋設した第２の形態によって説明する。
【００４２】
以下、握る把持物Ｍがボールである場合で製造工程を説明する。
（Ａ）ゲル化時間設定工程
ゲル化時間設定工程は、図５の（イ）に示すように、ペースト状のアルギン酸塩２３と石膏２４を容器２２内で攪拌混合してゲル化時間を設定時間に調節したペースト状の弾性印象材２５を得る。
前記アルギン酸塩２３は、歯科技工士が歯型を取るために用いている弾性印象材と同じ物を使用する。この弾性印象材はペースト状であったものが、一定時間でゴムのようにゲル状に柔軟に硬化するので、手を引き抜いたときの型崩れを起こさず元の手の形の陰型手形が正確に復元される。
石膏２４は純度の高い石膏を水でペースト状にして使用する。その石膏２４をペースト状のアルギン酸塩２３に入れるとその量に応じて硬化時間が短くなる作用を有する。
配合量は、アルギン酸塩５０ｇに対して石膏１０〜１７ｇ入れて３０〜４０秒間攪拌混合する。
石膏が１０ｇの場合では約３分で硬化し、それより多い１７ｇとすると約１分で硬化する。
アルギン酸塩は、ピンク色だったものが白く変色するので、硬化したことを知る目安となる。
乳幼児の手形は、手を長時間静止させるのを嫌がるので、１分以内で手を抜ける石膏を１７ｇを混合したものを用いると良い。
全体の使用量は幼児と大人の手の様に手の大きさによって異なるが、手を中に入れて手首が隠れる程度となる量とする。
【００４３】
（Ｂ）陰型手形型取り工程
ボールＭ及び人の手２６に万遍なくワセリンを塗り、乳幼児に場合、１分に設定した印象材２５を用いて、図５の（ロ）に示すように、容器２２内に入れた弾性印象材２５内に、そのボールＭを握った状態のままで手２６の甲部を上にして差し込む。
約１分で弾性印象材２５がピンク色だったものが白く変色し、硬化した後に弾性印象材２５からボールは前記弾性印象材２５内に残して手２６だけを引き抜く。
そして、図６の（ハ）に示すように、弾性印象材２５の中に陰型手形２７の空間ができる。
その後陰型手形２７の中に残ったワセリンは拭き取っておく。
【００４４】
（Ｃ）石膏手形型取り工程
前記陰型手形型取り工程で得た弾性印象材２５の陰型手形２７の中に、図６の（二）に示すように、各指部分に線状の補強材７を挿し込んで該補強材４を固定したボルト頭１０ａを入れてバイブレーターで振動を加えてペースト状の石膏２８を各指先にまで行き渡るように流し込む。
流し込む石膏２８には気泡が入らぬように流し込む前にバキュームミキサーで攪拌する。
陰型手形２７に石膏２８を満杯となるように流し込んだら、図７の（ホ）に示すように、弾性印象材２５の上面より上に突出させたボルト１０のネジ部１０ｂに中央に孔１２ａを開けた平面板１２を貫装し、更にボルト挿込み孔３１ａを設けた透明アクリル製の平面当て板３１を貫装する。
そして、手の甲部1ｂに平坦面３を形成するため前記平面当て板３１を所望傾斜に押し当てナット１１で石膏３０を抑えるように固定する。
そのまましばらく静置して石膏３０が硬化した後、前記平面当て板３１を外し、容器２２から取り出して前記弾性印象材２５を除去すると、図７の（へ）に示すように、ボールＭを握った状態のままで、手の甲部１ｂに平坦面３が形成された石膏手形３２が得られる。
この際、前記平面板１２は流し込んだ石膏２８の中に埋設され、その表面が前記平坦面３の表面と面一となる。
このように前記平坦面３に前記ボルト１０のネジ部１０ｂが突出された台取付部２が形成される。この台取付部２で後述の装飾台に固定されることとなる。
【００４５】
（Ｄ）手形仕上げ工程
得られた石膏手形３２の表面には気泡の跡の凹みや流れ出したバリ等が現れることがあり、気泡の跡には石膏を塗り込め、バリは研磨するなどして整形した石膏手形１を得る。
又、ボールＭの表面に付着した弾性印象材２５の残片も綺麗に剥がす。これでボールＭを握った状態の把持物握り型立体造形手形が完成する。
【００４６】
（Ｅ）装飾台板固定工程
上記ボールＭを握った状態の石膏手形１には、表面を塗装して装飾するなどし、図８の（ト）示すように、板状の額縁入れ用装飾台１３を石膏手形１の平坦面３にボルト孔１４を通して押し当て、ナット１１を締めて固定する。
又、その際に、前記石膏手形１と額入れ用の装飾台１３とは、手の甲部１ｂに形成した平坦面３によって、装飾台１３の平坦板面とが所望に設定した傾斜で密接して安定的に固定される。
【００４７】
そして、ボルト１１で強固に固定された前記石膏手形１と額入れ用の装飾台１３は、図９の（チ）に示すように、前記装飾台１３と額縁１６の背面板１７とが接着材、ネジ及び釘等を用いて強固に固定され、第１の製造工程によってボールＭを握った状態の把持物握り型立体造形手形が額縁に入れられ背面板１７に固定されて完成する。
なお、前記平面当て板３１にボルト１０をボルト頭１０ａを下にして貫装する手順は、流し込む前であっても良い、この場合には前記平面当て板３１を持ち上げてできた隙間から石膏２８が流し込める。
又、図９中の符号１８は透明ガラス板、１６は額縁、１７は背面板、１９は底面板、２０は上面板でありこれらで額縁が形成されている。
【００４８】
前記把持物握り型立体造形手形は背面板１７の前面に配置されて、握ったボールＭ等の把持物が背面板１７より離れた位置にあるため、前記装飾台１３及び背面板１７に大きな荷重が掛かるが、装飾台１３とはボルト１０で強固に固定押され、装飾台１３と背面板１７とは接着材、ネジ及び釘等で広い面積に強固に固定されるため把持物握り型立体造形手形が背面板１７から脱落するおそれはない。
【００４９】
上記第１の製造工程の説明では、板状の装飾台１３を立てて額縁の背面板１７に固定する態様を述べたが、装飾台１３は、図３に示すように、前記石膏手形１を、載置台状の装飾台１３の上に立てて直接固定する場合が可能である。
載置台上に直接固定する場合には、石膏手形１の内部にナット部３を埋設した第１の形態ではボルト差込孔１４の長さに最適な長さのボルト９を選択できる。この態様にもボルト差込孔１４の開口部を窪ませたボルト隠し穴１５を設けるとことでボルト頭９ａが底面から突出しないように取り付けることが可能となる。
【００５０】
前記装飾台１３に取り付ける場合、その背面のボルト孔１４の開口部に、ナット部９又はボルト頭６ａが没入可能なボルト隠し穴１５を形成することで、前記装飾台１３の背面から前記ナット部９又はボルト頭６ａを突出させず固定することができ、このため、額板２７に対して、前記台板１３が接着材、ネジ及び釘２６等を用いて、安定状態で固定することが可能となる。なお、額板２７の表面が平坦ではなく湾曲等の変形したものである場合には、前記台板１３の背面を湾曲等の変形に応じて密着可能に変形させたものを使用すれば前記台板１３と額板２７とが接着材と釘やネジを併用して強固に固定することができる。
【産業上の利用可能性】
【００５１】
本発明は、人の手に限らず、弾性印象材で型取り可能な猿の指や鳥の足のように細く突出して壊れや易い部分を備えた立体造形物に対しても広く利用することが可能である。
【符号の説明】
【００５２】
１    石膏手形
１ａ  指部
１ｂ  甲部
１ｃ  掌部
１ｄ  手首部
２    台取付部
３    ナット部
４    補強材
４ａ  補強材の基端部
４ｂ  補強材の先端部
５    アンカー部
６    丸曲げ部
７    ボルト穴
８    ナット部
９    ボルト
９ａ  ボルト頭
９ｂ  ネジ部
１０    ボルト
１１    ナット
１２    平面板
１２ａ  平面版のボルト挿通孔
１３    装飾台
１３ａ  装飾台の背面
１３ｂ  装飾台の前面
１４    装飾台のボルト孔
１５    ボルト隠し穴
１６    額縁
１７    背面板
１８    透明ガラス板
１９    底面板
２０    上面板
２１    補強材固定体
２１ａ  補強材挿込穴
２２    容器
２３    ペースト状アルギン酸塩
２４    石膏
２５    弾性印象材
２６    手
２７    弾性印象材の陰型手形
２８    ペースト状の石膏
３０    石膏手形
２８    石膏
２９    カップ
３０    流し込み石膏
３１    平面当て板
３２    印象材から取り出した石膏手形
Ｍ      ボール
【図１】
2015066895.tif 000003
【図２】
2015066895.tif 000004
【図３】
2015066895.tif 000005
【図４】
2015066895.tif 000006
【図５】
2015066895.tif 000007
【図６】
2015066895.tif 000008
【図７】
2015066895.tif 000009
【図８】
2015066895.tif 000010
【図９】
2015066895.tif 000011
【図１０】
2015066895.tif 000012
【図１１】
2015066895.tif 000013